(57)【要約】【課題】本発明は平衡伝送用プラグコネクタに係り、従来のコネクタのサイズを維持して光電変換モジュールを備えた構造を実現することを課題とする。【解決手段】ハウジング６０内に、平衡伝送用プラグコネクタ本体７０と、リジッドなプリント回路基板８０と、光電変換モジュール９０とが組み込んである。リジッドプリント回路基板８０は平衡伝送用プラグコネクタ本体７０よりも低い位置に配置してあり、光電変換モジュール９０はリジッドプリント回路基板８０上に搭載してある。Ｙ２端側に平衡伝送電気プラグ部５１を有し、Ｙ１端側に光ファイバケーブルコネクタ部（ＭＰＯコネクタ）５２を有する。【選択図】          図５
2004355894.tif 000002
【特許請求の範囲】
【請求項１】
コネクタハウジングと、
第１、第２の信号コンタクト部材よりなる信号コンタクト対とグランドコンタクト部材とが交互に配されて並んでいる構成であって機器のコネクタに接続される平衡伝送電気コネクタ部を有する構成であり、上記コネクタハウジングに取り付けてある平衡伝送用コネクタ本体と、
光電変換部と、光ファイバケーブルが接続される光ファイバケーブルコネクタ部とを有する構成であり、上記平衡伝送用コネクタ本体と電気的に接続されて、上記コネクタハウジングに設けてある光電変換モジュールとよりなり、
上記コネクタハウジングの一端側に上記平衡伝送用コネクタ本体の平衡伝送電気コネクタ部を有し、上記コネクタハウジングの他端側に上記光電変換モジュールの上記光ファイバケーブルコネクタ部を有する構成としたことを特徴とする平衡伝送用コネクタ。
【請求項２】
コネクタハウジングと、
第１、第２の信号コンタクト部材よりなる信号コンタクト対とグランドコンタクト部材とが交互に配されて並んでいる構成であって機器のコネクタに接続される平衡伝送電気コネクタ部を有する構成であり、上記コネクタハウジングに設けてある平衡伝送用コネクタ本体と、
上記コネクタハウジングに設けてあるリジッドプリント回路基板と、
光電変換部と、光ファイバケーブルが接続される光ファイバケーブルコネクタ部とを有する構成であり、上記リジッドプリント回路基板上に搭載されて、上記平衡伝送用コネクタ本体と電気的に接続された状態で、上記コネクタハウジングに設けてある光電変換モジュールとよりなり、
上記コネクタハウジングの一端側に上記平衡伝送用コネクタ本体の平衡伝送電気コネクタ部を有し、上記コネクタハウジングの他端側に上記光電変換モジュールの上記光ファイバケーブルコネクタ部を有する構成としたことを特徴とする平衡伝送用コネクタ。
【請求項３】
請求項２に記載の平衡伝送用コネクタにおいて、
上記リジッドプリント回路基板は、上記平衡伝送用コネクタ本体の平衡伝送電気コネクタ部に対して段差を有して配置してあり、
上記平衡伝送用コネクタ本体と上記リジッドプリント回路基板との間がフレキシブルケーブルによって電気的に接続された構成としたことを特徴とする平衡伝送用コネクタ。
【請求項４】
請求項２に記載の平衡伝送用コネクタにおいて、
上記リジッドプリント回路基板は、上記平衡伝送用コネクタ本体の平衡伝送電気コネクタ部に対して段差を有して配置してあり、
上記平衡伝送用コネクタ本体は、実装端子部を、上記平衡伝送電気コネクタ部より低い位置に有するライトアングルタイプであり、
該平衡伝送用コネクタ本体は、その実装端子部を上記リジッドプリント回路基板に半田付けされて設けてある構成としたことを特徴とする平衡伝送用コネクタ。
【請求項５】
請求項２乃至請求項４のうち何れか一項記載の平衡伝送用コネクタにおいて、
上記コネクタハウジングは、開口窓部を有する構成であり、
上記光電変換モジュールが、上記開口窓部に嵌合して、該光電変換モジュールの面が該平衡伝送用コネクタの外形の一部を形成する構成としたことを特徴とする平衡伝送用コネクタ。
【請求項６】
請求項１乃至請求項５のうち何れか一項記載の平衡伝送用コネクタにおいて、
上記平衡伝送用コネクタ本体は、第１、第２の信号コンタクト部材よりなる信号コンタクト対とグランドコンタクト部材とが交互に配されて並んでいる方向上の両端側に、電源コンタクト部材を有する構成としたことを特徴とする平衡伝送用コネクタ。
【発明の詳細な説明】
【０００１】
【発明の属する技術分野】
本発明は平衡伝送用コネクタ係り、特にコネクタハウジングに平衡伝送用コネクタ本体と光電変換モジュールとが設けてある構成であり、光ファイバケーブルの先端に設けてあり、コンピュータ機器への接続に使用される平衡伝送用コネクタに関する。
【０００２】
コンピュータと周辺機器との間でデータを伝送する方式として、平衡伝送方式が多く採用されつつある。平衡伝送方式は、データごとに対をなす二本の電線を使用して、伝送すべき＋信号とこの＋信号とは大きさが等しく逆向きの−信号とを同時に伝送する方式であり、通常の伝送方式に比べてノイズの影響を受けにくいという利点を有している。
【０００３】
また、サーバ装置とコンピュータ装置との間の距離が短い場合には、接続は電線ケーブルで十分であるけれども、サーバ装置とコンピュータ装置とが遠く離れている場合には、信号伝送の信頼性を考慮すると電線ケーブルに代えて光ファイバケーブルを使用することが望ましい。
【０００４】
【従来の技術】
図１はコンピュータ機器間の接続に使用される従来のケーブルタイプの平衡伝送用プラグコネクタ１０を示す。この平衡伝送用プラグコネクタ１０は、平衡伝送用プラグコネクタ本体１１がハウジング１２の先端側に組み込んであり、ハウジング１２の先端に平衡伝送用プラグ部１３が突き出ており、ハウジング１２の後端より電線ケーブル１４が延在している構成である。
【０００５】
従来、コンピュータ機器間の接続に使用されるケーブルタイプの平衡伝送用プラグコネクタとしては、図１に示すものだけであったため、従来のサーバ装置２０は、図２（Ａ）に示すように、背面側に、平衡伝送用ジャックコネクタ２１と光ファイバ用コネクタ２２が設けてあり、内部には、光電変換モジュール２３が、光ファイバ用コネクタ２２と電気的に接続されて設けてある構成となっていた。
【０００６】
サーバ装置２０とコンピュータとの間の距離が短い場合には、サーバ装置２０とコンピュータとは、図１の平衡伝送用プラグコネクタ１０を使用して電線ケーブル１３によって接続される。サーバ装置２０がコンピュータから遠い位置に設置してあり、サーバ装置２０とコンピュータとの間の距離が長い場合には、サーバ装置２０とコンピュータとは、信号の品質が低下しないように光ファイバ用コネクタ３０を光ファイバ用コネクタ２２に接続して、光ファイバケーブル３１によって接続される。
【０００７】
【特許文献】
特開２００３−０５９５９３号公報
【０００８】
【発明が解決しようとする課題】
よって、サーバ装置２０は、背面側に、二種類のコネクタ、即ち、平衡伝送用ジャックコネクタ２１と光ファイバ用コネクタ２２が設けてあり、内部に、光電変換モジュール２３が設けてある構成であるため、コスト高となっていた。特に、サーバ装置２０をコンピュータの近くに配置して使用するユーザにとっては、光ファイバ用コネクタ２２及び光電変換モジュール２３は余剰のものであり、サーバ装置２０はコスト高であった。
【０００９】
そこで、本発明はサーバ装置をより簡易な構造に出来るようにして上記課題を解決した平衡伝送用コネクタを提供することを目的とする。
【００１０】
【課題を解決するための手段】
請求項１の発明は、コネクタハウジングと、
第１、第２の信号コンタクト部材よりなる信号コンタクト対とグランドコンタクト部材とが交互に配されて並んでいる構成であって機器のコネクタに接続される平衡伝送電気コネクタ部を有する構成であり、上記コネクタハウジングに取り付けてある平衡伝送用コネクタ本体と、
光電変換部と、光ファイバケーブルが接続される光ファイバケーブルコネクタ部とを有する構成であり、上記平衡伝送用コネクタ本体と電気的に接続されて、上記コネクタハウジングに設けてある光電変換モジュールとよりなり、
上記コネクタハウジングの一端側に上記平衡伝送用コネクタ本体の平衡伝送電気コネクタ部を有し、上記コネクタハウジングの他端側に上記光電変換モジュールの上記光ファイバケーブルコネクタ部を有する構成としたものである。
【００１１】
平衡伝送用コネクタに電気的に接続されて使用され、且つ平衡電気信号が光信号に変換されて送り出される構成の平衡伝送用コネクタが実現可能となる。この構成の平衡伝送用コネクタが提供されることによって、機器は光コネクタを備えなくても済むようになって、機器の製造コストが安価となる。
【００１２】
請求項２の発明は、コネクタハウジングと、
第１、第２の信号コンタクト部材よりなる信号コンタクト対とグランドコンタクト部材とが交互に配されて並んでいる構成であって機器のコネクタに接続される平衡伝送電気コネクタ部を有する構成であり、上記コネクタハウジングに設けてある平衡伝送用コネクタ本体と、
上記コネクタハウジングに設けてあるリジッドプリント回路基板と、
光電変換部と、光ファイバケーブルが接続される光ファイバケーブルコネクタ部とを有する構成であり、上記リジッドプリント回路基板上に搭載されて、上記平衡伝送用コネクタ本体と電気的に接続された状態で、上記コネクタハウジングに設けてある光電変換モジュールとよりなり、
上記コネクタハウジングの一端側に上記平衡伝送用コネクタ本体の平衡伝送電気コネクタ部を有し、上記コネクタハウジングの他端側に上記光電変換モジュールの上記光ファイバケーブルコネクタ部を有する構成としたものである。
【００１３】
平衡伝送用コネクタに電気的に接続されて使用され、且つ平衡電気信号が光信号に変換されて送り出される構成の平衡伝送用コネクタが実現可能となる。この構成の平衡伝送用コネクタが提供されることによって、機器は光コネクタを備えなくても済むようになって、機器の製造コストが安価となる。光電変換部はリジッドプリント回路基板上に搭載されているため、光電変換部を組み込むこと、及び平衡伝送用コネクタ本体と光電変換部とを電気的に接続することが容易となる。
【００１４】
請求項３の発明は、請求項２に記載の平衡伝送用コネクタにおいて、
上記リジッドプリント回路基板は、上記平衡伝送用コネクタ本体の平衡伝送電気コネクタ部に対して段差を有して配置してあり、
上記平衡伝送用コネクタ本体と上記リジッドプリント回路基板との間がフレキシブルケーブルによって電気的に接続された構成としたものである。
【００１５】
リジッドプリント回路基板が平衡伝送用コネクタ本体の平衡伝送電気コネクタ部に対して段差を有しているため、光電変換モジュールの高さ範囲内に平衡伝送電気コネクタ部が位置するようになって、平衡伝送用コネクタの高さ寸法を短くすることが可能となる。フレキシブルケーブルを使用しているため、平衡伝送用コネクタ本体の平衡伝送電気コネクタ部に対する段差寸法の変更等に対して容易に対応することが可能となる。
【００１６】
請求項４の発明は、請求項２に記載の平衡伝送用コネクタにおいて、
上記リジッドプリント回路基板は、上記平衡伝送用コネクタ本体の平衡伝送電気コネクタ部に対して段差を有して配置してあり、
上記平衡伝送用コネクタ本体は、実装端子部を、上記平衡伝送電気コネクタ部より低い位置に有するライトアングルタイプであり、
該平衡伝送用コネクタ本体は、その実装端子部を上記リジッドプリント回路基板に半田付けされて設けてある構成としたものである。
【００１７】
リジッドプリント回路基板が平衡伝送用コネクタ本体の平衡伝送電気コネクタ部に対して段差を有しているため、光電変換モジュールの高さ範囲内に平衡伝送電気コネクタ部が位置するようになって、平衡伝送用コネクタの高さ寸法を短くすることが可能となる。平衡伝送用コネクタ本体がライトアングルタイプであるため、フレキシブルケーブル等の特別の部品を使用しないで、平衡伝送用コネクタ本体の平衡伝送電気コネクタ部に対する段差に対応することが可能となる。
【００１８】
請求項５の発明は、請求項２乃至請求項４のうち何れか一項記載の平衡伝送用コネクタにおいて、
上記コネクタハウジングは、開口窓部を有する構成であり、
上記光電変換モジュールが、上記開口窓部に嵌合して、該光電変換モジュールの面が該平衡伝送用コネクタの外形の一部を形成する構成としたものである。
【００１９】
コネクタハウジングの板部が光電変換モジュールを覆う構成に比べて、平衡伝送用コネクタの高さ寸法を、コネクタハウジングの板部の厚みの分、短くすることが可能となる。
【００２０】
請求項６の発明は、請求項１乃至請求項５のうち何れか一項記載の平衡伝送用コネクタにおいて、
上記平衡伝送用コネクタ本体は、第１、第２の信号コンタクト部材よりなる信号コンタクト対とグランドコンタクト部材とが交互に配されて並んでいる方向上の両端側に、電源コンタクト部材を有する構成としたものである。
【００２１】
電源コンタクト部材を両端側に配置した構成は、平衡伝送信号が電源によって影響を受け難くする。
【００２２】
【発明の実施の形態】
図３、図４及び図５は本発明の第１実施例になるケーブルタイプの平衡伝送用プラグコネクタ５０を示す。Ｘ１−Ｘ２は幅方向、Ｙ１−Ｙ２は長手方向、Ｚ１−Ｚ２は高さ方向である。本発明の特徴部分を図示し易くするために、コネクタ５０は上下を反転した姿勢で示してある。上下関係は、図示の姿勢を基準に説明する。コネクタ５０は、大略、ハウジング６０内に、平衡伝送用プラグコネクタ本体７０に加えて光電変換モジュール９０が組み込んであり、しかも、サイズ、特に高さ寸法ｈが、図１に示す従来のコネクタ１０と略同じである構成である。
【００２３】
図３、図４及び図５に示すように、コネクタ５０は、大略、ハウジング６０内に、平衡伝送用プラグコネクタ本体７０と、リジッドなプリント回路基板８０と、光電変換モジュール９０とが組み込んであり、且つハウジング６０よりＹ１側に突き出してプルタブ１００が設けてある構成である。平衡伝送用コネクタ本体７０はＹ２側に、光電変換モジュール９０はＹ１側に、プリント回路基板８０はＺ２側であってＹ１側に配置してある。光電変換モジュール９０はプリント回路基板８０上に搭載してある。コネクタ５０は、Ｙ２端側に平衡伝送電気プラグ部５１を有し、Ｙ１端側に光ファイバケーブルが接続される光ファイバケーブルコネクタ部（ＭＰＯコネクタ）５２を有する。１１０はコネクタ５０のＺ１−Ｚ２方向の中心線であり、プラグ部５１の中心を通る。プリント回路基板８０は中心線１３０に対してＺ２方向に寸法ａ偏倚しており、平衡伝送電気プラグ部５１は光電変換モジュール９０の高さ範囲内に位置するようになり、光電変換モジュール９０の光ファイバケーブルコネクタ部５２の中心線１３１は、中心線１２０に対するＺ１方向の偏倚寸法ｂが小さく抑えられている。これによって、コネクタ５０の高さ寸法ｈは小さく抑えられており、図１に示す従来のコネクタ１０と略同じとされている。
【００２４】
段差ａを有して配置してある平衡伝送用プラグコネクタ本体７０とプリント回路基板８０との間は、段差ａに対応するようにフレキシブルケーブル１１０、１２０でもって接続されている。フレキシブルケーブル１１０、１２０を使用していることによって、段差ａの変更に容易に対応可能である。
【００２５】
次に各構成部品について説明する。
【００２６】
コネクタハウジング６０は、共にダイキャスト製品である下側ハウジング部材６１と上側ハウジング部材６２とを組み合わせてなる構成である。ラッチ１０１及びプルタブ１００がハウジング部材６１，６２のＸ１−Ｘ２方向の両側の部分の間に組み込んである。下側ハウジング部材６１はＹ２側端に枠部６１ａを有する。
【００２７】
上側ハウジング部材６２は、Ｙ１側に切欠窓６２ａを有する。切欠窓６２ａには光電変換モジュール９０が露出しており、切欠窓６２ａの両側の部分６２ｂの延長面が光電変換モジュール９０の上面９０ａと一致している。即ち、光電変換モジュール９０の上面９０ａがコネクタ５０の外形の一部を形成している。よって、上側ハウジング部材６２が光電変換モジュール９０の上面９０ａを覆う構成に比べて、上側ハウジング部材６２の上板部の厚みの分、コネクタ５０は厚みが薄くなっている。
【００２８】
また、上側ハウジング部材６２のうち、Ｙ２側の部分６２ｃは平衡伝送用コネクタ本体７０を覆っており、部分６２ｃと切欠窓６２ａとの間の部分６２ｄはフレキシブルケーブル１１０、１２０の上方を覆っている。また、下側ハウジング部材６１にはフレキシブルケーブル１１０、１２０を案内して湾曲の形状を決める案内突起部６１ｂ，６１ｃが形成してある。
【００２９】
図６は平衡伝送用プラグコネクタ本体７０を示す。平衡伝送用プラグコネクタ本体７０は、図６に示すように、電気絶縁性を有する合成樹脂製のモールド部品であり、板状の突き出し部７１ａを有するブロック体７１に、第１、第２の信号コンタクト部材７２−１，７２−２と、板状のグランドコンタクト部材７３とが、Ｘ１−Ｘ２方向に所定のピッチｐ１で交互に並んで、且つ、Ｘ１−Ｘ２方向の両側に板状の電源コンタクト部材７４が組み込まれている構造である。第１、第２の信号コンタクト部材７２−１，７２−２が信号コンタクト部材対７５を構成する。一つの信号コンタクト部材対７５を構成する第１、第２の信号コンタクト部材７２−１，７２−２は、夫々突き出し部７１ａの上面及び下面に露出しており、Ｘ１−Ｘ２方向上同じ位置に位置している。グランドコンタクト部材７３の端面が突き出し部７１ａの上面及び下面に露出している。Ｘ１−Ｘ２方向上隣り合う信号コンタクト部材対７５の間は、グランドコンタクト部材７３によってシールドされている。
【００３０】
グランドコンタクト７３はフォーク形状の実装端子部７３ａを有し、第１、第２の信号コンタクト部材７２−１，７２−２は実装端子部７２−１ａ，７２−２ａを有する。実装端子部７３ａ、７２−１ａ，７２−２ａは、ブロック体７１よりＹ１方向に突き出ている。実装端子部７２−１ａ，７２−２ａはＺ１−Ｚ２方向上対向しており、隣り合う実装端子部７３ａの間に位置している。
【００３１】
上記構造の平衡伝送用プラグコネクタ本体７０は、図５に示すように、ブロック体７１を下側ハウジング部材６１と上側ハウジング部材６２との間に挟まれて動かないように固定されて組み込んである。第１、第２の信号コンタクト部材７２−１，７２−２とグランドコンタクト部材７３とが並んで組みこんである突き出し部７１ａは、枠部６１ａの中心に突き出している。
【００３２】
プリント回路基板８０は下側ハウジング部材６１に固定してある。プリント回路基板８０のＹ２方向端側の上面には、フレキシブルケーブル用のコネクタ８５が実装してある。プリント回路基板８０は信号ラインの特性インピーダンスが平衡信号で１００Ωに整合してある。
【００３３】
光電変換モジュール９０は、略直方体であり、内部に、電気信号処理部、電気信号処理部によって処理された電気信号に応じて発光する発光素子部、発光素子部からの光を光ファイバケーブルコネクタ部５２にまで導く導光部、導光部から送られてきた光信号を受けて電気信号に変える受光素子部等を備えた構造である。この光電変換モジュール９０は、底面側の端子をプリント回路基板８０上の端子と電気的に接続された状態で、プリント回路基板８０上に支持されて固定してある。
【００３４】
フレキシブルケーブル１１０は、図７に示すように、信号ライン１１１とグランドライン１１２とが交互に並んでおり、Ｘ１−Ｘ２の幅方向上両側に電源ライン１１３が配置してある。フレキシブルケーブル１１０の端には、各ラインの端のパッド１１４が整列している。また、フレキシブルケーブル１１０の両側にはスリットが入れてあり、電源ライン１１３の部分１１５，１１６は、帯状となって信号ライン１１１、グランドライン１１２が形成されている部分１１７より分離されている。
【００３５】
フレキシブルケーブル１２０は、フレキシブルケーブル１１０を表裏反転した状態のものであり、信号ライン１２１、グランドライン１２２、電源ライン１２３、パッド１２４、部分１２５，１２６、１２７とを有する。
【００３６】
フレキシブルケーブル１１０、１２０は、電源ライン１１３、１２３の特性インピーダンスが平衡信号で１００Ωに整合してある。
【００３７】
フレキシブルケーブル１１０、１２０の一端は、図５及び図７に示すように、間にスペーサ１１９を挟んだ状態でフォーク形状の実装端子部７３ａ、７４ａの間及び対向している実装端子部７２−１ａ，７２−２ａの間に挿入されて接続してある。フレキシブルケーブル１１０、１２０の他端は、図５に示すように、コネクタ８５に接続してある。
【００３８】
フレキシブルケーブル１１０、１２０はクランク形状に湾曲している。フレキシブルケーブル１１０、１２０が案内突起部６１ｂ，６１ｃに当接していることによって、フレキシブルケーブル１１０、１２０は、狭い空間内において、整然とクランク形状に湾曲して平行状態にある。よって、＋信号と−信号とはフレキシブルケーブル１１０、１２０の部分を伝送する間もカップリングがとられる。
【００３９】
帯状部分１１５，１１６は中央の部分１１７から離されており、且つ、帯状部分１２５，１２６は中央の部分１２７から離されており、電源ライン１１３、１２３は信号ライン１１１、１２１、グランドライン１１２、１２２から離れており、電源の影響が信号の伝送に及ばないようにしてある。
【００４０】
上記構成のコネクタ５０は、光ファイバケーブルコネクタ部５２に光ファイバケーブル１５０の端を接続して使用される。
【００４１】
平衡伝送用プラグコネクタ本体７０で受けた＋、−の電気信号は、光電変換モジュール９０でもって光信号に変換されて、＋、−の光信号が光ファイバケーブル１５０に送り出される。また、光ファイバケーブル１５０を伝播してきた＋、−の光信号は、光電変換モジュール９０でもって電気信号に変換されて、平衡伝送用プラグコネクタ本体７０から送り出される。
【００４２】
上記構成のコネクタ５０が入手可能となれば、サーバ装置２０Ａは、図２（Ｂ）に示すように、背面側に、平衡伝送用ジャックコネクタ２１だけを設けた構成とすれば足りる。図１の従来の平衡伝送用プラグコネクタ１０と図３に示す平衡伝送用プラグコネクタ５０との使い分けが可能であるからである。即ち、サーバ装置２０Ａがコンピュータの近くに配置してある場合には、図１の従来の平衡伝送用プラグコネクタ１０を使用して、サーバ装置２０Ａとコンピュータとを電線ケーブル１３によって接続し、サーバ装置２０Ａがコンピュータから遠く離れている場合には、図３に示す平衡伝送用プラグコネクタ５０を使用しこれを平衡伝送用ジャックコネクタ２１に差し込んで接続することによって、サーバ装置２０Ａとコンピュータとを光ファイバケーブル１５０によって接続することが可能であるからである。
【００４３】
このように、サーバ装置２０Ａは、図２（Ｂ）に示すように、背面側に、平衡伝送用ジャックコネクタ２１だけを設けた構成となり、よって、サーバ装置２０Ａは図２（Ａ）に示す従来のサーバ装置２０に比較して製造コストが安価となる。
【００４４】
図８、図９及び図１０は本発明の第２実施例になるケーブルタイプの平衡伝送用プラグコネクタ５０Ａを示す。このコネクタ５０Ａは、段差ａに対応するようにフレキシブルケーブル１１０、１２０を使用する代わりに、平衡伝送用プラグコネクタ本体７０に代えて、ライトアングルタイプであって且つ表面実装タイプである平衡伝送用プラグコネクタ本体２００を使用した構成である。
【００４５】
図８、図９及び図１０に示すように、コネクタ５０Ａは、大略、ハウジング６０内に、平衡伝送用プラグコネクタ本体２００と、リジッドなプリント回路基板８０Ａと、光電変換モジュール９０とが組み込んであり、且つハウジング６０よりＹ１側に突き出してプルタブ１００が設けてある構成である。プリント回路基板８０Ａは、図５中のプリント回路基板８０よりもＹ２側に長く延在している。コネクタ５０Ａの高さ寸法ｈは、図１に示す従来のコネクタ１０と略同じである。段差ａを有する平衡伝送用プラグコネクタ本体２００とプリント回路基板８０Ａとの間は、平衡伝送用プラグコネクタ本体２００が段差ａに対応するライトアングルタイプとしてあることによって、平衡伝送用プラグコネクタ本体２００自身によって電気的に接続されている。上側ハウジング部材６２のうち、Ｙ２側の部分６２ｃ、６２ｄは平衡伝送用プラグコネクタ本体２００の上方及びプリント回路基板８０Ａの上方を覆っている。プリント回路基板８０Ａは信号ラインの特性インピーダンスが平衡信号で１００Ωに整合してある。
【００４６】
ここで、図１２乃至図１５を参照して、平衡伝送用プラグコネクタ本体２００について説明する。
【００４７】
プラグコネクタ本体２００は、電気絶縁性を有する合成樹脂製のモールド部品であるブロック体２１０に、信号コンタクト対２７５をなす第１、第２の信号コンタクト部材２７２−１，２７２−２と、板状のグランドコンタクト部材２７３と、板状の電源コンタクト部材２７４とが組み込まれている構造である。図１３に示すように、第１、第２の信号コンタクト部材２７１−１，２７１−２とグランドコンタクト部材２７３と、電源コンタクト部材２７４とはピッチｐ１で交互に並んでいる。第１、第２の信号コンタクト部材２７１−１，２７１−２はその全長に亘って、隣り合うグランドコンタクト部材２７３の間に位置している。電源コンタクト部材２７４はＸ１−Ｘ２方向上の両端側に配置してある。
【００４８】
図１１及び図１２に示すように、ブロック体２１０は、本体部２１１と、本体部２１１のＸ１−Ｘ２の端よりＹ１方向に延びている支持部２１２，２１３と、本体部２１１よりＹ２方向に突き出している板状の突き出し部２１４と、本体部２１１よりＹ１方向に突き出して支持部２１２，２１３間を占めている位置規制部２１５と、支持部２１２，２１３の下面のボス部２１６とを有する。
【００４９】
本体部２１１には、電源コンタクト部材用のスリット２２０と、グランドコンタクト部材用のスリット２２１と、第１、第２の信号コンタクト部材用のトンネル２２２、２２３とが形成してある。突き出し部２１４には、スリット２２０の延長であるスリット２３０と、スリット２２１の延長であるスリット２３１と、トンネル２２２の延長である溝２３２と、トンネル２２３の延長である溝２３３とが形成してある。溝２３２は突き出し部２１４のＺ１側の面に、溝２３３は突き出し部２１４のＺ２側の面に、夫々形成してある。
【００５０】
位置規制部２１４には、Ｙ１側の縁に、スリット２４０、２４２，２４３，２４１が形成してある。深いスリット２４０、２４１はスリット２２０、２２１に対応する位置に形成してあり、浅いスリット２４２，２４３は、隣り合うスリット２４０、２４１の間を等分する位置に形成してある。スリット２４０、２４２，２４３，２４１は、ピッチｐ２で並んでいる。ピッチｐ２は、ピッチｐ１の２／３である。
【００５１】
図１２に示すように、グランドコンタクト部材２７３は、例えば０．４ｍｍの厚さｔ１の板材をプレスで打ち抜いて製造したものであり、基部２７３ａよりＹ２方向に延在しているグランドコンタクト部２７３ｂと、基部２７３ａよりＹ１方向に延在しているＬ字形状の実装用端子部２７３ｃとを有する。基部２７３ａのうちＹ１方向の半分の部分と実装用端子部２７４ｃにはプレスで打ちつけた薄厚化加工が施してあり、例えば０．２ｍｍの厚さｔ２としてある。実装用端子部２７３ｃは、グランドコンタクト部２７３ｂよりＺ２方向に寸法ｚ偏倚している。
【００５２】
電源コンタクト部材２７４は、グランドコンタクト部材２７３と同じであり、基部２７４ａと、電源コンタクト部２７４ｂと、実装用端子部２７４ｃとを有する。
【００５３】
第１の信号コンタクト部材２７１−１は、基部２７１−１ａよりＹ２方向にロッド形状の信号コンタクト部２７１−１ｂが突き出しており、基部２７１−１ａのＸ２側よりＹ１方向に、順に、斜め下方向に延在する長さ調整部分２７１−１ｃ、略逆Ｌ形状の延在部２７１−１ｄ、実装用端子部２７１−１ｅが延在している構成である。
【００５４】
第２の信号コンタクト部材２７１−２は、基部２７１−２ａよりＹ２方向にロッド形状の信号コンタクト部２７１−２ｂが突き出しており、基部２７１−２ａのＸ１側よりＹ１方向に、順に、斜め上方向に延在する長さ調整部分２７１−２ｃ、略逆Ｌ形状の延在部２７１−２ｄ、実装用端子部２７１−２ｅが延在している構成である。
【００５５】
図１４（Ａ），（Ｂ），（Ｃ）に示すように、上記の電源コンタクト部材２７４、グランドコンタクト部材２７３及び第１、第２の信号コンタクト部材２７１−１，２７１−２が、ブロック体２１０にそのＹ１側からそれぞれスリット２２０、２２１、２２２，２２３内に圧入されて固定してある。電源コンタクト部２７４ｂはスリット２３０内に、グランドコンタクト部２７３ｂはスリット２３１内に、信号コンタクト部２７１−１ｂは溝２３２内に、信号コンタクト部２７１−２ｂは溝２３４内に嵌合している。信号コンタクト部２７１−１ｂ、２７１−２ｂは夫々高さＨ１、Ｈ２に位置している。Ｈ３は高さＨ１、Ｈ２の中間である。長さ調整部分２７１−１ｃ１、２７１−２ｃ１の終端は、高さＨ３に位置している。
【００５６】
基部２７４ａのうち実装用端子部２７４ｃ寄りの部分がスリット２４０に、基部２７３ａのうち実装用端子部２７３ｃ寄りの部分がスリット２４１に、延在部２７１−１ｄがスリット２４２に、延在部２７１−２ｄがスリット２４３に嵌合している。実装用端子部２７３ｃ、２７４ｃ、２７１−１ｅ、２７１−２ｅは、Ｘ１−Ｘ２方向に関して位置を規制されており、実装用端子部２７１−１ｅ、２７１−２ｅは、実装用端子部２７３ｃ、２７４ｃとの間、及び隣合う実装用端子部２７３ｃの間に、並んでいる。また、全部の実装用端子部２７１−１ｅ、２７１−２ｅ、２７３ｃ、２７４ｃは、同じＸ−Ｙ面に整列している。
【００５７】
上記構造のプラグコネクタ本体２００は、図１０に示すように、ブロック体２１０の本体部２１１を下側ハウジング部材６１と上側ハウジング部材６２との間に挟まれて、且つ、ブロック体２１０の下面の凹部２１７を下側ハウジング部材６１の凸部６１ｅに嵌合させて、動かないように固定されて組み込んである。突き出し部２１４は、枠部６１ａの中心に突き出しており、プラグ部５１を形成している。プラグコネクタ本体２００はプリント回路基板８０Ａに対しては表面実装されており、実装用端子部２７１−１ｅ、２７１−２ｅ、２７３ｃ、２７４ｃはプリント回路基板８０Ａに表面実装されてのＹ２側の端に並んでいるパッドと半田付けしてある。
【００５８】
上記構成のコネクタ５０Ａは、図３に示すコネクタ５０と同じように、光ファイバケーブルコネクタ部５２に光ファイバケーブル１５０の端を接続して使用され、コネクタ５０と同じく動作し、同様の効果を有する。
【００５９】
即ち、平衡伝送用プラグコネクタ本体２００で受けた＋、−の電気信号は、光電変換モジュール９０でもって光信号に変換されて、＋、−の光信号が光ファイバケーブル１５０に送り出される。また、光ファイバケーブル１５０を伝播してきた＋、−の光信号は、光電変換モジュール９０でもって電気信号に変換されて、平衡伝送用プラグコネクタ本体２００から送り出される。
【００６０】
上記構成のコネクタ５０Ａが入手可能となれば、サーバ装置２０Ａは、図２（Ｂ）に示すように、背面側に、平衡伝送用ジャックコネクタ２１だけを設けた構成とすれば足りる。図１の従来の平衡伝送用プラグコネクタ１０と図８に示す平衡伝送用プラグコネクタ５０Ａとの使い分けが可能であるからである。よって、サーバ装置２０Ａは、図２（Ｂ）に示すように、背面側に、平衡伝送用ジャックコネクタ２１だけを設けた構成となり、よって、サーバ装置２０Ａは図２（Ａ）に示す従来のサーバ装置２０に比較して製造コストが安価となる。
【００６１】
また、ライトアングルタイプであって且つ表面実装タイプである平衡伝送用プラグコネクタ本体２００を使用しているため、フレキシブルケーブルの使用に伴なう面倒であるコネクタへの接続作業、及び、フレキシブルケーブルを所定の経路となるように湾曲させる作業等が不要となり、コネクタ５０Ａは生産し易い。
【００６２】
なお、平衡伝送用プラグコネクタ本体７０、２００に代えて、平衡伝送用ジャックコネクタ本体を組み込むことによって、平衡伝送用ジャックコネクタ本体と光電変換モジュール９０とを備えた平衡伝送用ジャックコネクタとすることも可能である。
【００６３】
【発明の効果】
以上説明したように、請求項１の発明によれば、コネクタハウジングと、平衡伝送用コネクタ本体と、光電変換モジュールとよりなり、コネクタハウジングの一端側に平衡伝送用コネクタ本体の平衡伝送電気コネクタ部を有し、コネクタハウジングの他端側に光電変換モジュールの光ファイバケーブルコネクタ部を有する構成であるため、平衡伝送用コネクタに電気的に接続されて使用され、且つ平衡電気信号が光信号に変換されて送り出される構成の平衡伝送用コネクタを実現することが出来る。また、この構成の平衡伝送用コネクタが提供されることによって、機器は光コネクタを備えなくても済むようになって、機器の製造コストを安価に出来る。
【００６４】
請求項２の発明によれば、コネクタハウジングと、平衡伝送用コネクタ本体と、リジッドプリント回路基板と、光電変換モジュールとよりなり、コネクタハウジングの一端側に平衡伝送用コネクタ本体の平衡伝送電気コネクタ部を有し、コネクタハウジングの他端側に光電変換モジュールの光ファイバケーブルコネクタ部を有する構成であり、光電変換モジュールがリジッドプリント回路基板上に搭載されている構成であるため、平衡伝送用コネクタに電気的に接続されて使用され、且つ平衡電気信号が光信号に変換されて送り出される構成の平衡伝送用コネクタを実現することが出来る。また、この構成の平衡伝送用コネクタが提供されることによって、機器は光コネクタを備えなくても済むようになって、機器の製造コストを安価に出来る。また、光電変換部がリジッドプリント回路基板上に搭載されているため、光電変換部を組み込む構造、及び平衡伝送用コネクタ本体と光電変換部とを電気的に接続する構成を容易に実現することが出来る。
【００６５】
請求項３の発明は、リジッドプリント回路基板が平衡伝送用コネクタ本体の平衡伝送電気コネクタ部に対して段差を有しているため、光電変換モジュールの高さ範囲内に平衡伝送電気コネクタ部が位置するようになって、平衡伝送用コネクタの高さ寸法を短くすることが出来る。また、平衡伝送用コネクタ本体とリジッドプリント回路基板との間の電気的接続にフレキシブルケーブルを使用しているため、平衡伝送用コネクタ本体の平衡伝送電気コネクタ部に対する段差寸法の変更等に対して容易に対応することが出来る。
【００６６】
請求項４の発明は、リジッドプリント回路基板が平衡伝送用コネクタ本体の平衡伝送電気コネクタ部に対して段差を有しているため、光電変換モジュールの高さ範囲内に平衡伝送電気コネクタ部が位置するようになって、平衡伝送用コネクタの高さ寸法を短くすることが出来る。また、平衡伝送用コネクタ本体がライトアングルタイプであるため、フレキシブルケーブル等の特別の部品を使用しないで、平衡伝送用コネクタ本体の平衡伝送電気コネクタ部に対する段差に対応することが出来る。
【００６７】
請求項５の発明は、コネクタハウジングは、開口窓部を有する構成であり、光電変換モジュールが、上記開口窓部に嵌合して、光電変換モジュールの面が平衡伝送用コネクタの外形の一部を形成する構成としたため、コネクタハウジングの板部が光電変換モジュールを覆う構成に比べて、平衡伝送用コネクタの高さ寸法を、コネクタハウジングの板部の厚みの分、短くすることが出来る。
【００６８】
請求項６の発明は、平衡伝送用コネクタ本体は、第１、第２の信号コンタクト部材よりなる信号コンタクト対とグランドコンタクト部材とが交互に配されて並んでいる方向上の両端側に、電源コンタクト部材を有する構成としたため、平衡伝送信号が電源によって影響を受け難く出来る。
【図面の簡単な説明】
【図１】従来の平衡伝送用プラグコネクタを示す図である。
【図２】サーバ装置と平衡伝送用プラグコネクタとの関係を示す図である。
【図３】本発明の第１実施例になる平衡伝送用プラグコネクタを上下反転した状態で示す斜視図である。
【図４】図３のコネクタを一部分解して示す図である。
【図５】図３のコネクタの断面図である。
【図６】図５中の平衡伝送用プラグコネクタ本体を示す図である。
【図７】フレキシブルケーブルを示す図である。
【図８】本発明の第２実施例になる平衡伝送用プラグコネクタを上下反転した状態で示す斜視図である。
【図９】図８のコネクタを一部分解して示す図である。
【図１０】図８のコネクタの断面図である。
【図１１】図９及び図１０中のライトアングル型平衡伝送用プラグコネクタ本体の斜視図である。
【図１２】図１１のコネクタ本体を分解して示す斜視図である。
【図１３】コネクタ本体のコンタクト部材の並びを示す図である。
【図１４】図１１に示すコネクタ本体を異なる位置で切断して示す断面図である。
【符号の説明】
５０、５０Ａ  平衡伝送用プラグコネクタ
５１  平衡伝送電気プラグ部
５２  光ファイバケーブルコネクタ部（ＭＰＯコネクタ）
６０  ハウジング
６１  下側ハウジング部材
６１ｂ，６１ｃ  案内突起部
６２  上側ハウジング部材
６２ａ  切欠窓
７０  平衡伝送用プラグコネクタ本体
７１  ブロック体
７２−１，７２−２  第１、第２の信号コンタクト部材
７３  グランドコンタクト部材
７４  電源コンタクト部材
７５  信号コンタクト部材対
７２−１ａ，７２−２ａ、７３ａ、７４ａ  実装端子部
８０，８０Ａ  リジッドプリント回路基板
８５  コネクタ
９０  光電変換モジュール
１００  プルタブ
１１０，１２０  フレキシブルケーブル
１１１，１２１  信号ライン
１１２，１２２  グランドライン
１１３，１２３  電源ライン
１１９  スペーサ
２００  平衡伝送用プラグコネクタ本体
２００  プラグコネクタ本体
２１５  位置規制部
２７２−１，２７２−２  第１、第２の信号コンタクト部材
２７３  グランドコンタクト部材
２７４  電源コンタクト部材
２７５  信号コンタクト部材対
２７２−１ｅ，７２−２ｅ、２７３ｃ、２７４ｃ  実装端子部
【図１】
2004355894.tif 000003
【図２】
2004355894.tif 000004
【図３】
2004355894.tif 000005
【図４】
2004355894.tif 000006
【図５】
2004355894.tif 000007
【図６】
2004355894.tif 000008
【図７】
2004355894.tif 000009
【図８】
2004355894.tif 000010
【図９】
2004355894.tif 000011
【図１０】
2004355894.tif 000012
【図１１】
2004355894.tif 000013
【図１２】
2004355894.tif 000014
【図１３】
2004355894.tif 000015
【図１４】
2004355894.tif 000016